(57)【要約】      （修正有）【課題】接地した球を打ち、かつ打球の水平軸中心の回転が持続できる旋回式のゴルフ練習機を提供する。【解決手段】可搬三脚に取付け可能な基部１により支持されて略水平に突出する水平杆２と水平杆２に平行、かつ下方に連結部３で固定される第１旋回軸の軸受４には旋回自在に基端が支持されてその先端部が前記第１旋回軸と平行に突出したＬ字状のアーム部材５と、そのＬ字部６の先端に第２旋回軸となるボビン状部７が設けられ、遊嵌状態に紐部材９と他端に球１０が連結されている。ショット後、アーム部材５及びＬ字部６も軸受４回りを旋回し、L字部６は止着部８に止着する。止着後、球１０はL字部６先端の第２旋回軸となるボビン状部７回りの旋回軌道に変わる。この旋回軌道は接地しないように紐部材９の長さが調整されているため、球１０は回転エネルギーを失うまで旋回を続けることができる。【選択図】図１
2013102831.tif 000002
【特許請求の範囲】
【請求項１】
可搬支柱、可搬三脚、構造物に取付け可能な基部より略水平に突出する水平杆と、
この水平部杆に対し、上記水平杆と平行な第１旋回軸回りに旋回自在に基端が支持されてその先端部が前記第１旋回軸と平行に突出されたＬ字状のアーム部材と、
このアーム部材の先端部の第２旋回軸であるボビン状部に一端が遊嵌状態に連結された紐部材と、
この紐部材の他端に連結された球と、
からなるゴルフ練習用具。
【請求項２】
請求項１に記載のゴルフ練習用具であって、前記水平杆の突出先端側には前記第１
旋回軸回りに旋回して旋回上死点を越えた近傍位置における前記アーム部材の先端部を受け止めて仮支持する止着部が形成されているゴルフ練習用具。
【請求項３】
請求項２に記載のゴルフ練習用具であって、前記アーム部材の先端部には強磁性体が装着され、前記止着部には永久磁石又は電磁石が設けられているゴルフ練習用具。
【請求項４】
請求項１に記載のゴルフ練習用具であって、前記アーム部材と先端部の交差角が９５°〜１０５°であるゴルフ練習用具。
【発明の詳細な説明】
【技術分野】
【０００１】
本発明は、ゴルフショットの練習を効率よく行うことができるゴルフ練習用具に関するものである。
【背景技術】
【０００２】
水平軸回り又は垂直軸回りに球が回転するゴルフ練習機は正確なショット、飛距離アップの練習に適した練習機であり、狭い場所で効率的な練習ができる特徴がある。特に、水平軸回りに旋回するものは飛距離だけでなく旋回面に傾斜から球筋を推測することできる特徴がある。
【先行技術文献】
【特許文献】
【０００３】
【特許文献１】特開２００４−３２１６３１号公報
【特許文献２】特開２００６−２３９０８８号公報
【発明の概要】
【発明が解決しようとする課題】
【０００４】
水平軸回りを球が旋回するゴルフ練習機はその回転を持続させるため、球を地面から浮かせるか、球をティに乗せて打たなければならない。このような練習機で球を接地した状態で打つと旋回を持続させることはできず、飛距離、球筋を推測することができない。アイアンショットで起りがちなミスショットであるダフリを確認するには接地した球を打つ練習が必要である。接地した球を打ち、かつ打球の水平軸中心の回転が持続できるような旋回式のゴルフ練習機に開発が要請されている。
【課題を解決するための手段】
【０００５】
請求項１に係わる発明は、図１及び図２に例示するものであって、可搬支柱、可搬三脚又は構造物に取付け可能な基部１により支持されて略水平に突出する水平杆２と水平杆２に平行、かつ下方に連結部３で固定される第１旋回軸の軸受４には旋回自在に基端が支持されてその先端部が前記第１旋回軸と平行に突出したＬ字状のアーム部材５と、そのＬ字部６の先端に第２旋回軸となるボビン状部７が設けられ、遊嵌状態に紐部材９と他端に球１０が連結されている。
【０００６】
請求項２に係わる発明は水平杆２の突出先端側には前記第１旋回軸回りに旋回して旋回上死点を越えてアーム部材５のＬ字部６を受け止めて仮支持する止着部８を有し、上記連結部３の長さはアーム部材５の長さにほぼ等しく、アーム部材５のＬ字部６は止着部８に収まる構造とする（図５参照）。
【０００７】
図２に示すように、アーム部材５のＬ字部６を止着部８に収めた状態で球１０が芝マット１１より僅かに浮くように紐部材９の長さを調整しておき、アーム部材５を自由状態に戻すとボビン状部７に吊るされた球１０は芝マット上１１に接地する。
【０００８】
図４に示すように、クラブヘッドで打たれた球１０は直線運動から第１旋回軸の軸受４回りの旋回軌道１２に拘束され、アーム部材５及びＬ字部６は軸受４回りの旋回軌道１４となり、旋回上死点１５を通過した後、前記Ｌ字部６は止着部８に止着する。球１０はＬ字部６が止着部８に止着することによって、Ｌ字部６の先端にある第２旋回軸となるボビン状部７回りを略紐部材９の半径からなる旋回軌道１４に変わる。この旋回軌道１４では球１０が接地しないように紐部材１０の長さを調整しているため、球１０は回転エネルギーを失うまで旋回を続ける。
【０００９】
上記ボビン状部７には球１０の旋回運動による遠心力が作用し、Ｌ字部６が止着部８より乖離することを防止するため、請求項第３に記載するようにＬ字部６に強磁性体１８を装着し、止着部８に永久磁石又は電磁石１９を設け、両者の引力で止着を強固にする必要がある（図６参照）。
【００１０】
また、ストレートな打球の旋回面は鉛直に近いが、それ以外の球筋では旋回面は傾斜するので、その球筋を読むには傾斜した旋回面で旋回を持続させる構造でなければならない。鉛直面より１５°傾斜した旋回面で旋回を持続させるためには、アーム部材５のＬ字部６の交差角１７は１０５°を必要とし、請求項４に記載するようにアーム部材５とＬ字部６の交差角１７は９５°〜１０５°にするのが適切である。  
【発明の効果】
【００１１】
この練習用具では接地した球を打ち、かつ水平軸回りの旋回を球が回転エネルギーを失うまで持続させることができるため、ゴルフショットにおいてダフリのミスショットを確認することができると共に飛距離、球筋等を推測できる。また、ダフリを確認することができるため、ダフリの対処法が見つける練習に役立つ。可搬式の水平軸回りを旋回するゴルフ練習機のため、練習場所を限定されず、広い練習場所を必要とせず、効率的な練習が可能である。    
【図面の簡単な説明】
【００１２】
【図１】ゴルフ練習用具の斜視図
【図２】ゴルフ練習用具の正面図
【図３】ゴルフ練習用具の側面図
【図４】打球の軌道
【図５】止着部の斜視図
【図６】磁石を用いる止着部
【発明を実施するための最良の形態】
【００１３】
実施形態に係るゴルフ練習用具は、例えば図１に示すように、三脚２１及び雲台２０に固定された基部１より水平方向に突出した水平杆２と、この水平杆２に基端が固定され５〜７ｃｍ下方に延びる連結部３と、この連結部３の先端に設けられた軸受４により水平方向に延びる第１旋回軸回りに旋回自在に基端が支持されたＬ字状のアーム部材５と、このアーム部材５先端のボビン状部７に前記第１旋回軸と平行に延びる第２旋回軸回りに旋回自在に一端が連結された紐部材９と、この紐部材９の他端に連結された球１１とからなるものである。
【００１４】
水平杆２の突出先端側には前記第１旋回軸回りに旋回して旋回上死点を越えてアーム部材５のＬ字部６を受け止めて仮支持する止着部８を有する。また、前記連結部３の長さはアーム部材５の長さにほぼ等しく、アーム部材５のＬ字部６は止着部８に収まる構造としている（図５参照）。
【００１５】
図３に示すように上記Ｌ字部６が止着部８に収まった状態で、ボビン状部７に吊るす紐部材９の長さを球１０が芝マット１１から僅かに浮くように調整しておく。この調整を行った後、第１旋回軸回りにアーム部材５及びＬ字部６を自由な状態に戻すと球１０は芝マット１１に接地する。
【００１６】
図４に示すように芝マット１１に接地した球１０をクラブヘッドでショットすると、打球１０は直進運動後に第１旋回軸の軸受４回りの旋回軌道１２に拘束されると同時にアーム部材５のＬ字部６及びボビン状部７は軸受４回りの旋回軌道１４を旋回し、そのＬ字部６は上死点１５を通過した後、止着部８に止着され、球１０は第２旋回軸であるボビン状部７回りの旋回軌道１３に変わる。前記Ｌ字部６が止着後、旋回軌道１３に変わることによって球１０は接地することなく回転エネルギーが尽きるまで旋回を持続できる。
【００１７】
図３に示すように連結部３は水平杆２に対して鉛直下方から時計方向に３０°〜６０°の傾斜角１６にするのが適切であるが、更に、上記第２旋回軸のボビン状部７における旋回を安定化させるため、Ｌ字部６を止着部８に強固に止着させる必要がある。
【００１８】
Ｌ字部６を止着部８に強固に止着させるには、図６ようにＬ字端部６に強磁性体１９の鋼を、止着部８に永久磁石又は電磁石２０を取付け、その引力を利用して止着する。
【００１９】
第２旋回軸のボビン状部７に遊嵌状態である紐部材９は旋回面が少し傾斜しても旋回が持続でき、球筋を読むことができる。  
【００２０】
更に、ストレートな打球の旋回面より１５°程度傾斜した旋回面の旋回を持続させるためアーム部材５とＬ字部６の交差角１７を約１０５°にしている。  
【符号の説明】
【００２１】
１  基部
２  水平部
３  連結部
４  軸受
５  アーム部材
６  Ｌ字部
６’止着後のＬ字部
７  ボビン状部
７’止着後のボビン状部
８  止着部
９  紐部材
９’止着後の紐部材
１０  球
１０’止着後の球
１１  芝マット
１２  止着前の打球の旋回軌道
１３  止着後の打球の旋回軌道
１４  Ｌ字部の旋回軌道
１５  Ｌ字部の旋回上死点
１６  連結部の傾斜角
１７  アーム部材とＬ字部の交差角
１８  強磁性体
１９  永久磁石又は電磁石
２０  雲台
２１  三脚
Ｘ１  第１旋回軸
Ｘ２  第２旋回軸
【図１】
2013102831.tif 000003
【図２】
2013102831.tif 000004
【図３】
2013102831.tif 000005
【図４】
2013102831.tif 000006
【図５】
2013102831.tif 000007
【図６】
2013102831.tif 000008